(57)【特許請求の範囲】
【請求項１】
第１の方向に伸び、その帯体の中央に所定間隔で平行に配される複数のスリット部を有する、複数の第１の帯体と、
前記第１の方向と異なる方向である第２の方向に伸びるとともに、その帯体の長手方向両端部に前記第１の帯体の配列に合わせて形成された切込み部を有する、複数の第２の帯体と、を備え、
前記第１の帯体と前記第２の帯体とが格子状に組まれた交差部において、
前記第２の帯体は前記スリット部を貫通するとともに、
前記第１の帯体の前記スリット部の両側部は、前記切込み部に差し込まれており、
前記複数の第１の帯体あるいは前記複数の第２の帯体を接続するとともに、前記複数の第１の帯体あるいは前記複数の第２の帯体が吊下装置に形成されたスロット部に挿入されることで該吊下げ装置に掛止する接続部材をさらに備える、
ことを特徴とする布構造体。
【請求項２】
前記スリット部から飛び出した前記第２の帯体の端部は、該スリット部と隣接する他のスリット部に差し込まれていることを特徴とする請求項１に記載の布構造体。
【発明の詳細な説明】
【技術分野】
【０００１】
本発明は、種々の用途に用いることができる布構造体に関する。
【背景技術】
【０００２】
従来、布は、カーテン等のように日差しを遮るものや、暖簾や垂れ幕に文字等を表記して人々の注意をひくもの等、様々な用途に用いられており、その中には、デザインに趣向を凝らしたものも多く存在する。
【０００３】
特許文献１には、帯状薄板を蜂の巣状に接合し、雨天時の雨の降り込みを遮蔽できるとするカーテンが記載されている。
【特許文献１】特開平７−２８４４４１号公報
【発明の開示】
【発明が解決しようとする課題】
【０００４】
しかしながら、特許文献１に記載されたカーテンは、カーテン以外の用途に使用するものではなく、また、人々を魅了するデザインではなかった。
【０００５】
本発明は、上記問題点を解決するためになされたものであり、種々の用途に使用でき、デザイン性にも配慮した布構造体を提供することを目的とする。
【課題を解決するための手段】
【０００６】
上記目的を達成するため、本発明に係る布構造体は、第１の方向に伸び、その帯体の中央に所定間隔で平行に配される複数のスリット部を有する、複数の第１の帯体と、前記第１の方向と異なる方向である第２の方向に伸びるとともに、その帯体の長手方向両端部に前記第１の帯体の配列に合わせて形成された切込み部を有する、複数の第２の帯体と、を備え、前記第１の帯体と前記第２の帯体とが格子状に組まれた交差部において、前記第２の帯体は前記スリット部を貫通するとともに、前記第１の帯体の前記スリット部の両側部は、前記切込み部に差し込まれており、前記複数の第１の帯体あるいは前記複数の第２の帯体を接続するとともに、前記複数の第１の帯体あるいは前記複数の第２の帯体が吊下装置に形成されたスロット部に挿入されることで該吊下げ装置に掛止する接続部材をさらに備える、ことを特徴とする。
【０００７】
前記スリット部から飛び出した前記第２の帯体の端部は、該スリット部と隣接する他のスリット部に差し込まれてもよい。
【発明の効果】
【０００９】
本発明によれば、種々の用途に使用でき、デザイン性にも配慮した布構造体を提供することができる。
【発明を実施するための最良の形態】
【００１０】
以下、本発明の実施形態に係る布構造体を図１乃至図３を参照して説明する。
【００１１】
図１に示すように、本発明の実施形態に係る布構造体１０は、縦帯１１と、横帯１２とが格子状に組み合わされて構成されている。このように形成された布構造体１０は、吊下装置３０により吊持されてカーテンや暖簾等に利用される。
【００１２】
縦帯１１は、図２（ａ）に示すように、一枚の布シート２０が一定の間隔で切断されて帯状に形成される。布シート２０は、例えば、ポリエステル製の布から構成される。布シート２０には未切断部１３を除いて切断線２１が設定されている。この未切断部１３は、複数の縦帯１１の端部に接続し、複数の縦帯１１をまとめる。なお、切断線２１の終端から布シート２０が裂けるのを防止するため、切断線２１の終端位置には円孔２２が形成されている。
【００１３】
縦帯１１には、切断線２１と直交する方向に複数のスリット２３が形成されている。スリット２３は、縦帯１１の中央付近に形成され、縦帯１１の長手方向に一定の間隔で形成されている。
【００１４】
横帯１２は、図２（ｂ）に示すように、一枚の布を帯状に切り出して形成される。横帯１２は、縦帯１１と同じ材質のもので、例えばポリエステル製の布から構成される。横帯１２の幅寸法は、縦帯１１の幅寸法と同じ大きさに、長手方向の寸法は、布シート２０（図２（ａ））の幅寸法（図中左右方向の寸法）と比べ、若干長めに設定されている。
【００１５】
横帯１２には、その長手方向の両側面に切込み部２４が形成されている。切込み部２４は、横帯１２の幅寸法の間隔毎に複数形成されている。
【００１６】
このような縦帯１１と横帯１２により、図１に示すような縦帯１１と横帯１２とは互いに格子状に組み合わされた布構造体１０が形成される。図３は、図１に示したIIIを拡大したもので、縦帯１１と横帯１２との交差部を示している。図に示すように、横帯１２は、スリット２３を貫通した状態で、切込み部２４で縦帯１１を差し込むことで、縦帯１１と横帯１２とが交差部で嵌合する。これにより、縦帯１１と横帯１２の交差位置は変化することなく、布構造体１０の格子形状を保持することができる。なお、図では説明のため縦帯１１と横帯１２とが切り欠かかれているかのように表現しているが、実際のところは切れ目を入れる程度で十分である。
【００１７】
図１に示した布構造体１０は、図２（ａ）に示した各縦帯１１を９０度同じ方向に転回した状態で横帯１２が挿入されている。そして、各交差部において、縦帯１１を切込み部２４に差し込むことで、格子状の布構造体１０が形成されている。なお、上述したように、横帯１２の長手方向の寸法は、布シート２０（図２（ａ））の幅方向に比べ長めに設定されている。図２（ｂ）に示すように、横帯１２の両端には余長部Ｓが確保されており、この余長部Ｓには端部処理用切込み２５が形成されている。布構造体１０が組み合わされた際に、余長部Ｓの先端を隣接するスリット２３に挿入することで、横帯１２の端部が処理される。なお、このように横帯１２の端部が処理された部分に布を覆うことで、処理部を目隠ししてもよい。
【００１８】
このように組み合わされた布構造体１０は、図１に示すように吊下装置３０により吊持される。吊下装置３０は、支持梁３１と、サイド補強材３２と、吊下ピース３３と、連結ねじ３４とを備えている。
【００１９】
支持梁３１は、例えば加工性のよい中密度繊維板から形成されており、縦帯１１と同じ位置にスロット３５が形成されている。そして、それぞれのスロット３５に縦帯１１が挿入されることで、未切断部１３が支持梁３１に引掛けられる。
【００２０】
サイド補強材３２は、溝型の断面を有し、支持梁３１と同程度の長さにカットされている。サイド補強材３２は、例えばアルミニウムから構成されている。サイド補強材３２は、支持梁３１の長手方向の辺を溝部で挟み込み、支持梁３１を補強するとともに、支持梁３１から布構造体１０が抜け落ちるのを防止する。
【００２１】
吊下ピース３３は、支持梁３１とサイド補強材３２とを連通するネジ孔に、連結ネジを用いて締結されて支持梁に固定されている。
【００２２】
上述の実施形態に係る布構造体１０は、従来のカーテンや暖簾等のような平面的な構成だけではなく、縦帯１１及び横帯１２を面外方向に向けて形成することで、立体的な表情を創出することが可能となる。また、縦帯１１及び横帯１２を組み合わせることで、規則正しい格子を表現することができ、従来にない魅力的な布構造体を提供することができる。
【００２３】
また、本実施形態に係る布構造体１０は、上述したカーテン等の使用だけではなく、例えば、店舗の営業終了後に商品に覆い被せるカバーとしても利用することが出来る。従来、このような目的で用いられるカバーのデザイン性はほとんど考慮されていなかった。本実施形態にかかる布構造体を用いることで、閉店後の店舗空間を魅力的に演出することが可能となる。このように商品を覆うカバーとして使用する場合には、縦帯１１と横帯１２とを組み合わせた後、未切断部１３を切断除去してもよい。
【００２４】
また、本実施形態に係る布構造体１０は、縦帯１１及び横帯１２が規則的に展開するため、布構造体１０を素早く広げたり、回収したりすることができる。これは、特に大きな面積を有したカバーを使用する場合には特に効果を奏する。
【００２５】
また、本実施形態に係る布構造体１０の他の使用方法としては、例えば、各グリッドに任意の着色を施し、背面から光を当てることで、従来に無い幻想的な表情を創出することができる。例えば、このような布構造体を住居照明の前に設置することで、居住者の趣向に合った居住空間を提供することができる。
【００２６】
本発明は上述した実施形態に限られず、様々な変形及び応用が可能である。例えば、上述の実施形態では、同じ大きさの格子が配列した布構造体１０について説明したが、スリット２３及び切込み部２４の形成間隔を変えることによって、様々な大きさのグリッドから構成された布構造体を形成することができる。
【００２７】
また、上述の実施形態では、縦帯１１と横帯１２とは、ポリエステル製の布として説明したが、これも一例を挙げたに過ぎず、他の布から形成してもよい。
【００２８】
また、上述の実施形態では、直線形状の吊下装置３０により吊持された布構造体３０について説明したが、吊下装置３０を曲線状に形成してもよいし、リング状に形成してもよい。
【００２９】
また、上述の実施形態では、縦帯１１にスリット２３を、横帯１２に切込み部を形成したが、縦帯１１に切込み部を形成し、横帯１２にスリット２３を形成しても、本発明を実施することが可能である。
【００３０】
また、上述の実施形態では、一定の幅寸法を有する縦帯１１と横帯１２とから構成された布構造体１０について説明したが、縦帯１１及び横帯１２の幅寸法を変化させることで、１つの布構造体１０内で立体的な変化を形成することができる。
【００３１】
また、上述の実施形態では、矩形の格子を形成する布構造体１０について説明したが、縦帯１１と横帯１２との交差角度を任意に設定することで様々な方形の格子を形成することができる。例えば、縦帯１１と横帯１２とを斜めに交差させることで、菱形の形状とすることができる。
【図面の簡単な説明】
【００３２】
【図１】本発明の実施形態に係る布構造体を示した斜視図。
【図２】（ａ）は縦帯の展開図、（ｂ）は横帯の展開図。
【図３】縦帯と横帯の交差部を示した概略図。
【符号の説明】
【００３３】
１０      布構造体
１１      縦帯
１２      横帯
１３      未切断部
２０      布シート
２１      切断線
２２      円孔
２３      スリット
２４      切込み部
２５      端部処理用切込み
３０      吊下装置
３１      支持梁
３２      サイド補強材
【図１】
0004936256.tif 000002
【図２】
0004936256.tif 000003
【図３】
0004936256.tif 000004